(57)【要約】      （修正有）【課題】介護又は看護に用いられる物品を素早く取り出すことができる床頭台を提供する。【解決手段】床頭台１は、前方が開放された箱形状に形成され、所定の大きさにされた物品５００が複数重ねられて収容される収容部１００と、収容部の前方に配置され、収容部の前方を開閉する扉１５と、を備え、扉は、その下端１５ａが、収容部の底面１２ａより所定寸法上方に配置され、扉の下端と収容部の底面との間に、扉が収容部の前方を閉じた状態で収容物品５００を引き出すことを可能とする物品引出部２００が形成されている。【選択図】図１
0003195490.tif 000002
【実用新案登録請求の範囲】
【請求項１】
介護又は看護に用いられる物品を収容する床頭台であって、
前方が開放された箱形状に形成され、所定の大きさにされた前記物品が複数重ねられて収容される収容部と、
前記収容部の前方に配置され、前記収容部の前方を開閉する扉と、を備え、
前記扉は、その下端が、前記収容部の底面より所定寸法上方に配置され、
前記扉が前記収容部の前方を閉じた状態で、前記扉の下端と前記収容部の前記底面との間において、前記収容部に収容された前記物品を引き出すことを可能とする物品引出部が形成された床頭台。
【請求項２】
前記収容部は、前記収容部の内部空間を仕切る仕切板を有し、
前記底面には、前後方向に延び、前記仕切板の下端が係合し、左右方向に所定間隔で配置された複数の底面溝が形成され、
前記収容部の天井面には、前後方向に延び、前記仕切板の上端が係合し、左右方向に所定間隔で配置され、前記底面溝と対になる複数の天井面溝が形成されている請求項１に記載の床頭台。
【請求項３】
前記収容部は、棒状に形成され、前記底面から前記収容部の天井面に延びる仕切棒を有し、
前記底面には、後方側において、前記仕切棒の下端が係合し、前後方向に所定間隔で配置された複数の底面係合部が形成され、
前記天井面には、後方側において、前記仕切棒の上端が係合し、前後方向に所定間隔で配置され、前記底面係合部と対になる複数の天井面係合部が形成されている請求項１又は２に記載の床頭台。
【考案の詳細な説明】
【技術分野】
【０００１】
本考案は、床頭台に関し、特に、介護又は看護に用いられる物品を収容する床頭台に関する。
【背景技術】
【０００２】
従来、病院や老人養護施設等のベッドの傍には、衣類や身の回り品を収納するための床頭台が設置されている。
例えば、スライドテーブルと、引き出し及び収納部と、冷蔵庫収納部を備えている床頭台が提案されている（特許文献１参照）。
この特許文献１の床頭台によれば、引き出しや収納部に、衣類や身の回り品を収納できる。
【先行技術文献】
【特許文献】
【０００３】
【特許文献１】特開２００８−５５６号公報
【考案の概要】
【考案が解決しようとする課題】
【０００４】
ところで、近年は、介護又は看護において、使い捨ての紙おむつ、リハビリパンツ、尿取りパット等が用いられる。
このような介護又は看護に用いられる物品は、使用済みの物は廃棄され、新しい物に交換される。このため、床頭台には、介護又は看護に用いられる物品は、同じ物が何枚も、例えば、引き出しに収納されている。
【０００５】
しかしながら、このような介護又は看護に用いられる物品は、比較的頻繁に交換するため、引き出しに収納されていては素早く取り出すことができず介護又は看護に支障をきたす場合がある。
【０００６】
本考案は、介護又は看護に用いられる物品を素早く取り出すことができる床頭台を提供することを目的とする。
【課題を解決するための手段】
【０００７】
（１）  介護又は看護に用いられる物品を収容する床頭台であって、
前方が開放された箱形状に形成され、所定の大きさにされた前記物品が複数重ねられて収容される収容部と、
前記収容部の前方に配置され、前記収容部の前方を開閉する扉と、を備え、
前記扉は、その下端が、前記収容部の底面より所定寸法上方に配置され、
前記扉が前記収容部の前方を閉じた状態で、前記扉の下端と前記収容部の前記底面との間において、前記収容部に収容された前記物品を引き出すことを可能とする物品引出部が形成された床頭台。
【０００８】
（１）の構成によれば、床頭台は、介護又は看護に用いられる物品を収容し、収容部と、扉と、を備える。
収容部は、前方が開放された箱形状に形成され、所定の大きさにされた物品が複数重ねられて収容される。
扉は、収容部の前方に配置され、収容部の前方を開閉する。
扉は、その下端が、収容部の底面より所定寸法上方に配置される。
そして、床頭台には、扉が収容部の前方を閉じた状態で、扉の下端と収容部の底面との間において、収容部に収容された物品を引き出すことを可能とする物品引出部が形成されている。
【０００９】
これにより、使用者は、介護又は看護に用いられる物品（例えば、使い捨ての紙おむつ、リハビリパンツ、尿取りパット、タオル等）を、複数重ねて収容部に収容し、扉を閉めておくことができる。
そして、使用者は、扉を閉めた状態で、収容部の一番下に配置された物品を物品引出部から引き出すことができる。このとき、扉が閉められているので、一番下に配置された物品の上に重ねられた物品は、一番下に配置された物品を引き抜いても、扉に当接し、収容部内部に残るので、一番下に配置された物品のみを引き出すことができる。
【００１０】
このように、本発明の床頭台によれば、介護又は看護に用いられる物品を一枚ずつ素早く引き出せる。したがって、介護又は看護に用いられる物品を素早く取り出すことができる床頭台を提供できる。
【００１１】
（２）  前記収容部は、前記収容部の内部空間を仕切る仕切板を有し、
前記底面には、前後方向に延び、前記仕切板の下端が係合し、左右方向に所定間隔で配置された複数の底面溝が形成され、
前記収容部の天井面には、前後方向に延び、前記仕切板の上端が係合し、左右方向に所定間隔で配置され、前記底面溝と対になる複数の天井面溝が形成されている（１）に記載の床頭台。
【００１２】
（２）の構成によれば、収容部は、収容部の内部空間を仕切る仕切板を有する。
そして、収容部の底面には、前後方向に延び、仕切板の下端が係合し、左右方向に所定間隔で配置された複数の底面溝が形成されている。
また、収容部の天井面には、前後方向に延び、仕切板の上端が係合し、左右方向に所定間隔で配置され、底面溝と対になる複数の天井面溝が形成されている。
【００１３】
これにより、使用者は、収容部の内部空間を、仕切板により仕切ることができる。
また、仕切板を係合させる底面溝と天井面溝とを変えることで、内部空間の左右の幅を調整することができる。
例えば、紙おむつと、尿取りパットとでは、幅が互いに異なる。このような場合に、仕切板の位置を、物品の種類に応じた幅に合うように調整することで、例えば、収容部内部に積み上げた物品が横に倒れ、物品を物品引出部から素早く取り出せなくなることを防止できる。
【００１４】
（３）  前記収容部は、棒状に形成され、前記底面から前記収容部の天井面に延びる仕切棒を有し、
前記底面には、後方側において、前記仕切棒の下端が係合し、前後方向に所定間隔で配置された複数の底面係合部が形成され、
前記天井面には、後方側において、前記仕切棒の上端が係合し、前後方向に所定間隔で配置され、前記底面係合部と対になる複数の天井面係合部が形成されている（１）又は（２）に記載の床頭台。
【００１５】
（３）の構成によれば、収容部は、棒状に形成され、底面から収容部の天井面に延びる仕切棒を有する。
そして、収容部の底面には、後方側において、仕切棒の下端が係合し、前後方向に所定間隔で配置された複数の底面係合部が形成されている。
また、収容部の天井面には、後方側において、仕切棒の上端が係合し、前後方向に所定間隔で配置され、底面係合部と対になる複数の天井面係合部が形成されている。
【００１６】
これにより、仕切棒を係合させる底面係合部と天井面係合部とを変えることで、内部空間の前後方向の奥行きを調整することができる。
例えば、紙おむつと、尿取りパットとでは、奥行きが互いに異なる。このような場合に、仕切棒の位置を、物品の種類に応じた奥行きに合うように調整することで、例えば、収容部内部に積み上げた物品が後方に倒れ、物品を物品引出部から素早く取り出せなくなることを防止できる。
【考案の効果】
【００１７】
本考案によれば、介護又は看護に用いられる物品を素早く取り出すことができる床頭台を提供できる。
【図面の簡単な説明】
【００１８】
【図１】本考案の一実施形態に係る床頭台１の扉を閉じた状態の斜視図である。
【図２】前記実施形態に係る床頭台１の扉１５を開いた状態の斜視図である。
【図３】前記実施形態に係る床頭台１の可変収容部１２０を説明する図である。
【図４】前記実施形態に係る床頭台１の使用方法を説明する図である。
【図５】前記実施形態に係るティッシュ収容部２２を斜め上後方から視た図である。
【考案を実施するための形態】
【００１９】
本考案の実施形態に係る床頭台１の構成を図面に基づいて説明する。
図１は、本考案の一実施形態に係る床頭台１の扉を閉じた状態の斜視図である。
床頭台１は、介護又は看護に用いられる物品（例えば、使い捨ての紙おむつ、リハビリパンツ、尿取りパット、タオル等）を収容する上段部１０と、下段部２０と、を備える。
上段部１０は、下段部２０の天板２１から立設する一対の側板１１と、一対の側板１１に支持された底板１２と、一対の側板１１の上端に支持された天井板１３と、一対の側板１１の後端側に固定された背板１４と、一対の側板１１の前端に回動自在に支持された一対の扉１５と、を備える。
【００２０】
一対の側板１１は、外側側面に回転式フックや埋め込みフック等を設け、この回転式フック等に、例えば、検温結果を記載した表等を挟んだバインダ等を掛けておくことができる。
底板１２は、下段部２０の天板２１から所定寸法（例えば、１９０ｍｍ）離れた位置に配置されている。これにより、下段部２０の天板２１の上にマグカップや歯ブラシ等の日用品を載置することができる。
【００２１】
図２は、前記実施形態に係る床頭台１の扉１５を開いた状態の斜視図である。
一対の側板１１、底板１２、天井板１３及び背板１４により、前方が開放された箱形状に形成され収容部１００が形成されている。
【００２２】
収容部１００には、所定の大きさにされた物品５００が複数重ねられて収容される。
収容部１００は、収容部１００の内部空間を仕切る、仕切壁１０１と、仕切板１０２と、を有する。
【００２３】
仕切壁１０１は、収容部１００の内部空間を仕切ることで、固定収容部１１０と、可変収容部１２０と、を形成する。
固定収容部１１０には、比較的一定の大きさで形成されているタオル等が収容される。
【００２４】
図３は、前記実施形態に係る床頭台１の可変収容部１２０を説明する図である。
可変収容部１２０は、仕切板１０２により、第１収容部１２１と、第２収容部１２２と、に仕切られている。
第１収容部１２１及び第２収容部１２２は、仕切板１０２の位置を変えることで、大きさや向きが変化する。第１収容部１２１及び第２収容部１２２には、収容する物品５００（図２参照）の種類によって大きさが異なる、例えば、紙おむつと、尿取りパット、リハビリパンツ等が収容される。
【００２５】
可変収容部１２０において、底板１２の底面１２ａには、前後方向に延び、仕切板１０２の下端が係合し、左右方向に所定間隔で配置された複数の底面溝１２ｂが形成されている。
【００２６】
可変収容部１２０において、天井板１３の天井面１３ａには、前後方向に延び、仕切板１０２の上端が係合し、左右方向に所定間隔で配置され、底面溝１２ｂと対になる複数の天井面溝１３ｂが形成されている。
【００２７】
可変収容部１２０において、側板１１及び仕切壁１０１には、前後方向に延び、水平に配置された２枚の仕切板１０２の左右端がそれぞれ係合する一対の側面溝１１ｂが形成されている。
【００２８】
可変収容部１２０は、左右方向の内法と、上下方向の内法が同寸法で形成されている。
これにより、可変収容部１２０は、図３に示すように、仕切板１０２を底面溝１２ｂ及び天井面溝１３ｂに係合させることにより、左右方向に並ぶ第１収容部１２１と、第２収容部１２２と、に仕切ることができる。
一方、図３に示す態様とは異なる態様として、仕切板１０２を一対の側面溝１１ｂに係合させることにより、上下方向に並ぶ第１収容部１２１と、第２収容部１２２と、に仕切ることができる。
【００２９】
また、可変収容部１２０は、棒状に形成され、底面１２ａから天井面１３ａに延びる仕切棒１０３を有する。
【００３０】
可変収容部１２０において、底板１２の底面１２ａには、後方側において、仕切棒１０３の下端が係合し、前後方向に所定間隔で配置された複数の底面係合部１２ｃが形成されている。
【００３１】
可変収容部１２０において、天井板１３の天井面１３ａには、後方側において、仕切棒１０３の上端が係合し、前後方向に所定間隔で配置され、底面係合部１２ｃと対になる複数の天井面係合部１３ｃが形成されている。
【００３２】
可変収容部１２０において、底板１２の前端１２ｄは、仕切壁１０１の前端１０１ｄや側板１１の前端１１ｄより、後方に配置されている。これにより、可変収容部１２０に積まれた複数の物品５００（図２参照）の最も下に配置された物品５００を摘まみ易くなる。
【００３３】
図１に戻って、一対の扉１５は、両開き戸で形成され、収容部１００の前方に配置され、収容部１００の前方を開閉する。扉１５は、その下端１５ａが、収容部１００の底面１２ａより所定寸法上方に配置されている。
また、扉１５には、収容部１００を目視可能とする窓部１５１が形成されている。
また、一対の扉１５は、閉じた状態で互いに対向する側縁に、収容部１００を目視可能とするための欠き込み１５２が形成されている。
このように、窓部１５１及び欠き込み１５２を形成することで、収容部１００に収容されている物品５００の残量の視認が可能となる。
【００３４】
また、床頭台１には、扉１５が収容部１００の前方を閉じた状態で、扉１５の下端１５ａと収容部１００の底面１２ａとの間において、収容部１００に収容された物品５００を引き出すことを可能とする物品引出部２００が形成されている。
【００３５】
図４は、前記実施形態に係る床頭台１の使用方法を説明する図である。
使用者は、介護又は看護に用いられる物品５００を、複数重ねて収容部１００に収容し、扉を１５閉めておく。
そして、使用者は、扉１５を閉めた状態で、収容部１００の一番下に配置された物品５００を物品引出部２００から引き出す。このとき、扉１５が閉められているので、一番下に配置された物品５００の上に重ねられた物品５００は、扉１５に当接し、収容部１００内部に残り、一番下に配置された物品５００のみを引き出すことができる。
【００３６】
図１に戻って、下段部２０は、ティッシュ収容部２２を含む複数の引き出しを含む。
【００３７】
図５は、前記実施形態に係るティッシュ収容部２２を斜め上後方から視た図である。
ティッシュ収容部２２は、床頭台１の前面に配置される表板２２１と、ティッシュ収容部２２の側面を形成する一対の側板２２２と、ティッシュ収容部２２の底面を形成する底板２２３と、ティッシュ収容部２２の内部を仕切る仕切板２２４と、を備える。
【００３８】
表板２２１には、ティッシュ収容部２２に収容されたティッシュを、外部に引き出すための引出孔２２１ａが形成されている。
【００３９】
一対の側板２２２には、上下方向に延び、仕切板２２４の左右端がそれぞれ係合し、前後方向に所定間隔で配列された複数の側面溝２２２ａがそれぞれ形成されている。
【００４０】
これにより、ティッシュ収容部２２に、ティッシュを収納し、収納したティッシュの量に応じて、仕切板２２４の位置を調整することで、表板２２１の引出孔２２１ａからスムーズにティッシュを引き出すことができる。
【００４１】
本実施形態の床頭台１によれば、以下の作用効果を奏する。
床頭台１によれば、介護又は看護に用いられる物品５００を一枚ずつ素早く引き出せる。したがって、介護又は看護に用いられる物品５００を素早く取り出すことができる床頭台１を提供できる。
【００４２】
また、床頭台１によれば、収容部１００の内部空間を、仕切板１０２により仕切ることができる。
また、床頭台１によれば、仕切板１０２を係合させる底面溝１２ｂと天井面溝１３ｂとを変えることで、内部空間の左右の幅を調整することができる。
例えば、紙おむつと、尿取りパットとでは、幅が互いに異なる。このような場合に、仕切板１０２の位置を、物品５００の種類に応じた幅に合うように調整することで、例えば、収容部１００内部に積み上げた物品５００が横に倒れ、物品５００を物品引出部２００から素早く取り出せなくなることを防止できる。
【００４３】
また、床頭台１によれば、仕切棒１０３を係合させる底面係合部１２ｃと天井面係合部１３ｃとを変えることで、収容部１００の内部空間の前後方向の奥行きを調整することができる。
例えば、紙おむつと、尿取りパットとでは、奥行きが互いに異なる。このような場合に、仕切棒１０３の位置を、物品５００の種類に応じた奥行きに合うように調整することで、例えば、収容部１００内部に積み上げた物品５００が後方に倒れ、物品５００を物品引出部２００から素早く取り出せなくなることを防止できる。
【００４４】
なお、本考案は前記実施形態に限定されるものではなく、本考案の目的を達成できる範囲での変形、改良等は本考案に含まれるものである。
【符号の説明】
【００４５】
１  床頭台
１０  上段部
１１  側板
１１ｂ  側面溝
１１ｄ  前端
１２  底板
１２ａ  底面
１２ｂ  底面溝
１２ｃ  底面係合部
１２ｄ  前端
１３  天井板
１３ａ  天井面
１３ｂ  天井面溝
１３ｃ  天井面係合部
１４  背板
１５  扉
１５ａ  下端
１００  収容部
１０１  仕切壁
１０１ｄ  前端
１０２  仕切板
１０３  仕切棒
１１０  固定収容部
１２０  可変収容部
１２１  第１収容部
１２２  第２収容部
１５１  窓部
１５２  欠き込み
２０  下段部
２１  天板
２２  ティッシュ収容部
２００  物品引出部
２２１  表板
２２１ａ  引出孔
２２２  側板
２２３  底板
２２４  仕切板
５００  物品
【図１】
0003195490.tif 000003
【図２】
0003195490.tif 000004
【図３】
0003195490.tif 000005
【図４】
0003195490.tif 000006
【図５】
0003195490.tif 000007